(57)【要約】      （修正有）【課題】フィルム容器に収容された厚みのある被包装物を包装することができ、組み立ても容易な包装用台紙を提供する。【解決手段】被包装物を載置可能な大きさの底板１４を備える。底板１４の端部に第一折罫線１６を介して連接され、底板１４と略同一外形でその中央部が開口し、第一折罫線１６で折り返されて底板１４と相互に重なる蓋板１８を備える。底板１４の周端部に、底板１４を囲むように設けられた底板側封鎖部２０を備える。蓋板１８の周端部に、蓋板１８を囲むように設けられた蓋板側封鎖部４０を備える。組み立て状態で、底板１４に蓋板１８を折り重ねた間に被包装物が配され、底板側封鎖部２０と蓋板側封鎖部４０とが相互に固定される。被包装物が、底板１４及び蓋板１８の撓みの復帰力によって厚み方向に挟持され、一部が蓋板１８の開口部１８ａから突出する。【選択図】図１
0003188353.tif 000002
【実用新案登録請求の範囲】
【請求項１】
フィルム容器に収容された被包装物を包装する包装用台紙であって、
一枚のブランクシートから一体的に打ち抜かれて形成され、前記被包装物を載置可能な大きさの底板と、前記底板の端部に第一折罫線を介して連接され、前記底板と略同一外形でその中央部が開口し、前記第一折罫線で折り返されて前記底板と相互に重なる蓋板と、前記底板の前記第一折罫線が設けられていない周端部に、前記底板を囲むように設けられた底板側封鎖部と、前記蓋板の前記第一折罫線が設けられていない周端部に、前記蓋板を囲むように設けられた蓋板側封鎖部とを備え、
組み立て状態で、前記底板に前記蓋板を折り重ねた間に前記包装物が配され、前記底板側封鎖部と前記蓋板側封鎖部とが相互に固定され、前記被包装物が、前記底板及び前記蓋板の撓みの復帰力によって厚み方向に挟持されると共に、一部が前記蓋板の開口から突出することを特徴とする包装用台紙。
【請求項２】
前記底板の内側に形成された複数の舌片であって、切り込みによって互いに区切られ、個々の先端部が前記底板の中央部を向いている緩衝用舌片を備え、組み立て状態で、前記被包装物が、前記緩衝用舌片及び前記蓋板の撓みの復帰力によって厚み方向に挟持される請求項１記載の包装用台紙。
【請求項３】
前記底板には、前記フィルム容器の端部を差し込んで保持するためのフィルム容器保持用切り込みが設けられている請求項１記載の包装用台紙。
【請求項４】
前記底板側封鎖部は、前記底板を囲むように前記底板の端部から外向きに延設された複数の底板側脚片と、前記底板側脚片の基端部の両端から内向きに各々所定長さに亘って形成された一対の第二折罫線と、前記底板の内側に設けられ、前記一対の第二折罫線の内側先端部を起点とするＵ字状の切り込みによって形成された底板側係合片とで構成され、
前記蓋板側封鎖部は、前記蓋板の端部の、前記蓋板が前記底板と折り重なった状態で前記複数の底板側脚片と対向する位置に、外向きに延設された複数の蓋板側脚片と、前記蓋板側脚片の基端部の両端から内向きに各々所定長さに亘って形成された一対の第三折罫線と、前記蓋板の内側に設けられ、前記一対の第三折罫線の内側先端部を起点とするＵ字状の切り込みによって形成された蓋板側係合片とで構成され、
組み立て状態で、前記底板側脚片が前記蓋板と反対側に折り曲げられて起立すると共に、前記底板側係合片が前記底板から抜け出て前記蓋板側に起立し、前記蓋板側脚片が前記底板と反対側に折り曲げられて起立すると共に、前記蓋板側係合片が前記蓋板から抜け出て前記蓋板側に起立し、
対応する前記底板側係合片と蓋板側係合片は、一方の係合片が、相手側の前記底板側係合片又は蓋板側係合片が抜け出た透孔内に差し込まれて係合すると共に、他方の係合片の内側面が、相手側の前記底板側脚片又は蓋板側脚片の外側面に当接し、これを支持する請求項１乃至３のいずれか記載の包装用台紙。
【考案の詳細な説明】
【技術分野】
【０００１】
この考案は、フィルム容器に収容された被包装物を包装するための包装用台紙に関する。
【背景技術】
【０００２】
従来、この種の包装用台紙として、例えば特許文献１に開示されているように、フィルム容器に化粧品や洗剤等が充填された薄形の被包装物（サンプル）を収納保持するためのサンプルケースがあった。このサンプルケースは、一枚の略長方形シートに、長手方向に二つ折りされて互いに重なる台部と蓋部が形成されている。略長方形シートの蓋部側の端部にはめこみ片が設けられ、台部側の端部に折り返し片及びはめこみ穴が設けられている。台部に被包装物を配して蓋部を折り重ね、はめこみ片をはめこみ穴に嵌挿することによって、被包装物が収納保持される。また、台部には、被包装物の端部を差し込んで保持するための切り込みが設けられ、蓋部には、被包装物の表示等を露出させて視認可能にする切り欠き穴が設けられている。
【先行技術文献】
【特許文献】
【０００３】
【特許文献１】実開平６−１６２６２号公報
【考案の概要】
【考案が解決しようとする課題】
【０００４】
特許文献１のサンプルケースは、非常に薄い被包装物を包装するのに適しているが、立体的で厚みがある被包装物を包装するのは難しい。さらに、蓋部の切り欠き穴から露出した被包装物は、表面が外部部材に容易に接触し、表面に擦り傷等ができやすいものである。
【０００５】
本考案は、上記背景技術に鑑みて成されたものであり、フィルム容器に収容された厚みのある被包装物を包装することができ、組み立ても容易な包装等台紙を提供することを目的とする。
【課題を解決するための手段】
【０００６】
本考案は、フィルム容器に収容された被包装物を包装する包装用台紙であって、一枚のブランクシートから一体的に打ち抜かれて形成され、前記被包装物を載置可能な大きさの底板と、前記底板の端部に第一折罫線を介して連接され、前記底板と略同一外形でその中央部が開口し、前記第一折罫線で折り返されて前記底板と相互に重なる蓋板と、前記底板の前記第一折罫線が設けられていない周端部に、前記底板を囲むように設けられた底板側封鎖部と、前記蓋板の前記第一折罫線が設けられていない周端部に、前記蓋板を囲むように設けられた蓋板側封鎖部とを備え、
組み立て状態で、前記底板に前記蓋板を折り重ねた間に前記包装物が配され、前記底板側封鎖部と前記蓋板側封鎖部とが相互に固定され、前記被包装物が、前記底板及び前記蓋板の撓みの復帰力によって厚み方向に挟持されると共に、一部が前記蓋板の開口から突出する包装用台紙である。
【０００７】
前記底板の内側に形成された複数の舌片であって、切り込みによって互いに区切られ、個々の先端部が前記底板の中央部を向いている緩衝用舌片を備え、組み立て状態で、前記被包装物が、前記緩衝用舌片及び前記蓋板の撓みの復帰力によって厚み方向に挟持される構成にしてもよい。前記底板には、前記フィルム容器の端部を差し込んで保持するためのフィルム容器保持用切り込みが設けられていてもよい。
【０００８】
また、前記底板側封鎖部は、前記底板を囲むように前記底板の端部から外向きに延設された複数の底板側脚片と、前記底板側脚片の基端部の両端から内向きに各々所定長さに亘って形成された一対の第二折罫線と、前記底板の内側に設けられ、前記一対の第二折罫線の内側先端部を起点とするＵ字状の切り込みによって形成された底板側係合片とで構成され、
前記蓋板側封鎖部は、前記蓋板の端部の、前記蓋板が前記底板と折り重なった状態で前記複数の底板側脚片と対向する位置に、外向きに延設された複数の蓋板側脚片と、前記蓋板側脚片の基端部の両端から内向きに各々所定長さに亘って形成された一対の第三折罫線と、前記蓋板の内側に設けられ、前記一対の第三折罫線の内側先端部を起点とするＵ字状の切り込みによって形成された蓋板側係合片とで構成され、
組み立て状態で、前記底板側脚片が前記蓋板と反対側に折り曲げられて起立すると共に、前記底板側係合片が前記底板から抜け出て前記蓋板側に起立し、前記蓋板側脚片が前記底板と反対側に折り曲げられて起立すると共に、前記蓋板側係合片が前記蓋板から抜け出て前記蓋板側に起立し、対応する前記底板側係合片と蓋板側係合片は、一方の係合片が、相手側の前記底板側係合片又は蓋板側係合片が抜け出た透孔内に差し込まれて係合すると共に、他方の係合片の内側面が、相手側の前記底板側脚片又は蓋板側脚片の外側面に当接し、これを支持する構成にしてもよい。
【考案の効果】
【０００９】
本考案の包装用台紙によれば、組み立て状態で、被包装物の蓋板側の凸部を、蓋板中央の開口から突出させて収容保持するので、厚みのある被包装物でも、底板及び蓋板を大きく撓ませることなく、また被収容物に無理な力を加えることもなく、やさしく包装することができる。さらに、底板に所定の緩衝用舌片を設けることによって、被包装物の下面側の凸部による押圧も逃がすことができ、厚みのある被包装物を蓋板と底板の中央部で良好に包装することができる。
【００１０】
また、底板にフィルム容器保持用切り込みを設け、フィルム容器の端部を差し込んで保持させる構造にすることによって、組み立てた包装用台紙の中で被包装物が位置ずれするのを防いだり、底板封鎖部及び蓋板封鎖部の固定を解除して被包装物を取り出すとき、被包装物だけを落としてしまう事故を防止したりすることができる。
【００１１】
また、底板側封鎖部を所定の底板側脚片及び底板側係合片で構成し、蓋板側封鎖部を所定の蓋板側脚片及び蓋板側係合片で構成し、これらを相互に係合させて固定する構造にすることで、底板及び蓋板の厚み方向の曲げに対する剛性が強化され、被収容物を強固に挟持することができる。さらに、平面に置いた時、底板側脚片に支持された底板が平面から浮き上がるようにすることができ、被収容物を取り置きする際にフィルム容器の表面に擦り傷が付いたり衝撃が加わるのを防止することができる。
【図面の簡単な説明】
【００１２】
【図１】本考案の包装用台紙の一実施形態を裏面から見た展開図である。
【図２】この実施形態の包装用台紙の組み立てる過程を示す平面図（ａ），（ｂ）である。
【図３】この実施形態の包装用台紙の組み立てた状態を示す平面図（ａ）、正面図（ｂ）、底面図（ｃ）である。
【図４】この実施形態の包装用台紙の組み立て状態を示すA-A断面図（ａ）、B-B断面図（ｂ）である。
【考案を実施するための形態】
【００１３】
以下、本考案の包装用台紙の一実施形態について、図面に基づいて説明する。この実施形態の包装用台紙１０は、フィルム容器１２ａに固形物１２ｂを収容した被包装物１２を包装するための台紙である。ここでは、フィルム容器１２ａの形状は平面視で略長方形である。固形物１２ｂは、フィルム容器１２ａに収容されたものであれば対象を選ばないが、保管や搬送時にフィルム容器１２ａの表面に他の部材が接触することを好まない部材が好適である。
【００１４】
包装用台紙１０は、一枚のブランクシートから一体的に打ち抜かれて形成される。素材は、一定の撓み性を有する厚紙やプラスチックシート等が好ましい。包装用台紙１０は、図１に示すように、被包装物１２を載置可能な大きさの略長方形の底板１４を有している。底板１４の長手方向の一端辺には、第一折罫線１６を介して蓋板１８が連接されている。蓋板１８は、底板１４と略同一外形で、第一折罫線１６で折り返されると、底板１４と相互に重なる。また、蓋板１８の中央部は、略長方形に大きく開口しており、この開口部１８ａの大きさは、フィルム容器１２ａよりも小さい。
【００１５】
底板１４の第一折罫線１６が設けられていない３つの端部には、底板１４を囲むように底板側封鎖部２０が設けられている。底板側封鎖部２０は、底板側脚片２２，２４，２６、第二折罫線２８，３０，３２、及び底板側係合片３４，３６，３８で構成される。
【００１６】
底板側脚片２２，２４，２６は、３つの端辺から外向きに延設された台形状の短いフラップである。第二折罫線２８，３０，３２は、底板側脚片２２，２４，２６の各基端部の両端から内向きに、各々所定長さに亘って形成された一対の折罫線である。底板側係合片３４，３６，３８は、底板１４の内側に設けられ、各第二折罫線２８，３０，３２の内側先端部を起点とする同じ形状のＵ字状の切り込みによって形成されている。
【００１７】
蓋板１８の第一折罫線１６が設けられていない３つの端部にも、蓋板１８を囲むように蓋板側封鎖部４０が設けられている。蓋板側封鎖部４０は、蓋板側脚片４２，４４，４６、第三折罫線４８，５０，５２、及び蓋板側係合片５４，５６，５８で構成される。
【００１８】
蓋板側脚片４２，４４，４６は、３つの端辺から外向きに延設された台形状の短いフラップであり、上記の底板側脚片２２，２４，２６とほぼ対称な形状である。第三折罫線４８，５０，５２は、蓋板側脚片４２，４４，４６の各基端部の両端から内向きに、各々所定長さに亘って形成された一対の折罫線である。蓋板側係合片５４，５６，５８は、蓋板１８の内側に設けられ、各第三折罫線４８，５０，５２の内側先端部を起点とする同じ形状のＵ字状の切り込みによって形成されている。
【００１９】
底板側係合片３４，３６，３８と蓋板側脚片４２，４４，４６とを比べると、どちらも半円状で類似した形状であるが、基端部付近の形状が少し異なる。図１に示すように、前者は、基端部の幅がd1で最も広いのに対し、後者は、基端部の幅がほぼ幅d1で、基端部から僅かに先端寄りの部分が両側に突出し、この部分の幅がd2（＞d1）になっている。
【００２０】
底板１４の内側には、Ｈ字形の切り込み６０によって互いに区切られた２つの緩衝舌片６２が設けられている。２つの緩衝舌片６２はほぼ同じ形状（幅広の略長方形）で、各先端部が底板１４の中央部を向いている。さらに、底板１４の内側には、第二折罫線２８，３０が交わる角部と第二折罫線３０，２３が交わる角部の２箇所に、円弧状に形成された一対のフィルム容器保持用切り込み６４が設けられている。フィルム容器保持用切り込み６４については後で説明する。
【００２１】
次に、包装用台紙１０の組み立て方法の一例を説明する。なお、図１に示す包装用台紙１０の展開図は裏面から見たものであり、以下、箱体形成片１２の表面側が凸になる折り方を正折り、裏面側が凹になる折り方を逆折りと称する。
【００２２】
まず、図２（ａ）に示すように、底板１４の裏面に被包装物１２を載置する。このとき、被包装物１２のフィルム容器１２ａの２つの角部をフィルム容器保持用切り込み６４に差し込んで保持させる。そして、図２（ｂ）に示すように、蓋板２８を第一折罫線１６で正折りし、蓋板２８を被包装物１２の上方に配する。
【００２３】
次に、底板側脚片２２，２４，２６を蓋板１８と反対側に折り曲げて起立させる。この動作により、底板側係合片３４，３６，３８は、底板１４から抜け出て蓋板側に起立する。同様に、蓋板側脚片４２，４４，４６を底板１４と反対側に折り曲げて起立させる。この動作により、蓋板側係合片５４，５６，５８が蓋板１８から抜け出て底板１４側に起立する。
【００２４】
次に、蓋板１８を被包装物１２に重ねる方向に移動させ、蓋板側封鎖部４０を底板側封鎖部２０に係合させる。具体的には、図３、図４に示すように、蓋板側係合片５４，５６，５８を底板側係合片３４，３６，３８の内側に配し、底板側係合片３４，３６，３８が抜け出た透孔内に深く差し込む。すると、蓋板側係合片５４，５６，５８は、素材同士の摩擦抵抗と図１で説明した「d1＜d2」の関係により、所定の強度で係合して抜け止めされる。また、底板側係合片３４，３６，３８は、蓋板側脚片４２，４４，４６の外側面に当接し、蓋板側脚片４２，４４，４６が外側に倒れないように支持する。これで組み立て作業が終了する。
【００２５】
包装用台紙１０を組み立てた状態では、図４に示すように、被包装物１２の周縁部は、蓋板１８と底板１４の間に配され、これらの撓みの復帰力によって厚み方向に挟持される。包装用台紙１０は、被包装物１２の上側面の凸部を蓋板１８の開口部１８ａから突出させる共に、被包装物１２の下側面の凸部については、底板１４を押す圧力を２つの緩衝用舌片６２で吸収して逃がす構造なので、立体的な被包装物１２を底板１４及び蓋板１８で無理なく包むことができる。また、テーブル等の平坦な面に置くと、底板１８が底板側脚片２２，２４，２６に支持され、被包装物１２がテーブル等から浮いた状態に保持される。
【００２６】
以上説明したように、包装用台紙１０によれば、組み立て状態で、被包装物１２の蓋板側の凸部を、蓋板１８中央の開口１８ａから突出させて収容保持するので、厚みのある被包装物１２でも、底板１４及び蓋板１８を大きく撓ませることがなく、被収容物１２に無理な力を加えることなく、固形物１２ｂを包んだフィルム容器１２ａの周縁部を挟持して、やさしく包装することができる。さらに、底板１４に所定の緩衝用舌片６２が設けてあるので、被包装物１２の下面側の凸部による押圧も逃がすことができ、かなり厚みのある被包装物１２でも包装することができる。
【００２７】
また、底板１４にフィルム容器保持用切り込み６４を設け、フィルム容器１２ａの端部を差し込んで保持させる構造になっているので、組み立てた包装用台紙１０の中で被包装物１２が位置ずれするのを防いだり、底板封鎖部２０及び蓋板封鎖部４０の係合を解除して被包装物１２を取り出すときに被包装物１２だけを落としてしまう事故を防止したりすることができる。
【００２８】
また、底板側脚片２２，２４，２６及び蓋板側脚片４２，４４，４６を底板１４及び蓋板１８に対して起立させて、底板側係合片３４，３６，３８と蓋板側係合片５４，５６，５８を相互に係合させる構造なので、底板１４及び蓋板１８の厚み方向の曲げに対する剛性が強化され、底板１４と蓋板１８により被収容物１２を強固に挟持することができる。さらに、底板側係合片３４，３６，３８と蓋板側係合片５４，５６，５８とを係合させるだけで固定可能な構造なので、組み立てが容易であり、しかもテーブル等に置いた時、被収容物１２がテーブル等に接触しないので、被収容物１２を取り置きする際にフィルム容器１２ａの表面に擦り傷が付いたり衝撃が加わるのを防止することができる。
【００２９】
なお、本考案は上記実施形態に限定されるものではない。例えば、上記の包装用台紙１０において、蓋板側脚片４２，４４，４６及び蓋板側係合片５４，５６，５８の形状、蓋板側脚片４２，４４，４６及び蓋板側係合片５４，５６，５８の形状、緩衝用舌片６２の数や形状は、上述したものと同様の作用効果が得られる範囲で自由に変更することができる。また、被包装物の底板側の凸部が小さいときは、底板の緩衝用舌片を省略することも可能である。また、底板１４及び蓋板１８は、ほぼ同一の外形であればよく、三角形、正方形、その他の多角形等などに変更することができる。この場合、底板１４及び蓋板１８を囲む複数の端辺（第一折罫線１６が設けられた端辺を除く）に、上記と同様の底板側及び蓋板側封鎖部２０，４４を設けるとよい。
【００３０】
底板側封鎖部と蓋板側封鎖部の構造は、上記の包装用台紙１０以外の構造に変更することができる。例えば、底板側封鎖部２０の構造を蓋板側封鎖部に設け、蓋板側封鎖部４０の構造を底板側封鎖部に設けることによって、係合関係を逆にしても構わない。また、包装用台紙１０の底板側係合片３４，３６，３８及び蓋板側係合片５４，５６，５８、第二折罫線２８，３０，３２及び第三折罫線４８，５０，５２を省略し、底板側脚片２２，２４，２６と蓋板側脚片４２，４４，４６とを糊付けして互いに固定する構造にしてもよい。糊付けして固定する構造は、例えば、被包装物の外形（輪郭）が曲線的で、底板と底板側封鎖部との境界、蓋板と蓋板側封鎖部との境界を直線にできない場合等に使用することができる。
【符号の説明】
【００３１】
１０  包装用台紙
１２  被包装物
１２ａ  フィルム容器
１４  底板
１６  第一折罫線
１８  蓋板
１８ａ  開口部
２０  底板側封鎖部
２２，２４，２６  底板側脚片
２８，３０，３２  第二折罫線
３４，３６，３８  底板側係合片
４０  蓋板側封鎖部
４２，４４，４６  蓋板側脚片
４８，５０，５２  第三折罫線
５４，５６，５８  蓋板側係合片
６２  緩衝用舌片
６４  フィルム容器保持用切り込み
【図１】
0003188353.tif 000003
【図２】
0003188353.tif 000004
【図３】
0003188353.tif 000005
【図４】
0003188353.tif 000006